(57)【要約】【課題】複数のディスプレイおよび複数の計算機を備えて構成される監視制御システムにおいて、集中監視制御を行う際に、計算機を介さず、ディスプレイ同士が通信することによって、監視者の体力的な作業負荷を軽減させると共に、導入コストおよび開発コストの低減ができる監視制御装置を得る。【解決手段】複数のディスプレイ１０６〜１１０のそれぞれと複数の計算機またはパーソナルコンピュータ１０２〜１０５のそれぞれとを画像入出力機能を持つケーブル１４０〜１４４で接続すると共に、ディスプレイ１０６〜１１０のそれぞれは、接続される計算機またはパーソナルコンピュータ１０２〜１０５の画面表示を行う画面表示部１２０〜１２４と、通信制御を行う通信制御部１３０〜１３４とを有し、ディスプレイ１０６〜１１０のそれぞれの間で通信を行う。【選択図】図１
2011175424.tif 000002
【特許請求の範囲】
【請求項１】
複数のディスプレイおよび複数の計算機またはパーソナルコンピュータを備えて構成される監視制御システムにおける監視制御装置において、
前記複数のディスプレイのそれぞれと前記複数の計算機またはパーソナルコンピュータのそれぞれとを画像入出力機能を持つケーブルで接続すると共に、
前記それぞれのディスプレイは、接続される前記計算機またはパーソナルコンピュータの画面表示を行う画面表示部と通信制御を行う通信制御部とを備え、
前記複数のディスプレイそれぞれの間で通信を行うことを特徴とする監視制御装置。
【請求項２】
前記複数のディスプレイそれぞれの間で通信を行う手段として、指向性の高い無線情報伝達手段を備えたことを特徴とする請求項１に記載の監視制御装置。
【請求項３】
前記複数のディスプレイを上位ディスプレイと複数の下位ディスプレイに区分し、前記上位ディスプレイは、カーソルポインティング機能またはタッチパネル機能を有し、前記複数の下位ディスプレイとの間でカーソル位置情報や押下情報をはじめとした制御情報や付加情報を互いに送受信することを特徴とする請求項２に記載の監視制御装置。
【請求項４】
前記複数の下位ディスプレイは、画面表示情報およびカーソル位置情報や押下情報をはじめとした制御情報や付加情報を前記上位ディスプレイに送信し、前記上位ディスプレイで前記制御情報や付加情報を反映した画面を表示することを特徴とする請求項３に記載の監視制御装置。
【請求項５】
前記複数のディスプレイを上位ディスプレイと複数の下位ディスプレイに区分し、前記複数の下位ディスプレイを１つのディスプレイとして合成し、動作させることを特徴とする請求項１または請求項２に記載の監視制御装置。
【発明の詳細な説明】
【技術分野】
【０００１】
この発明は、監視制御装置に係り、特に、複数のディスプレイおよび複数の計算機またはパーソナルコンピュータを備えて構成される監視制御システムの監視制御装置に関するものである。
【背景技術】
【０００２】
従来、複数のディスプレイおよび複数の計算機またはパーソナルコンピュータ（以下、計算機という。）を備えて構成される監視制御システムにおいては、一般的に複数の計算機間を互いに通信ケーブルで接続し、有線による通信が行われる。そして、それぞれのディスプレイは、それぞれの計算機と画像入出力機能を持つケーブルで接続され、その計算機の命令に従って表示を行っている。
【０００３】
集中監視制御を行う上位のディスプレイが存在する場合は、そのディスプレイと計算機をケーブルで接続し、計算機間で通信が行われる。例えば、特許文献１では、１台の無線通信機能を持つディスプレイに複数の計算機の画面内容を無線通信し、分割同時表示あるいは切替表示をすることによって、同時に常時複数の計算機を監視でき、かつ前記無線通信機能を持つディスプレイから前記複数の計算機それぞれに対し個々に操作入力ができるワイヤレスディスプレイシステムが提案されている。
【先行技術文献】
【特許文献】
【０００４】
【特許文献１】特開２００２−３２３８８４号公報（要約の欄、図４）
【発明の概要】
【発明が解決しようとする課題】
【０００５】
前記特許文献１に開示された技術によれば、監視者は移動せずに同時に複数の計算機の監視と遠隔操作が行えるため、監視者の体力的な作業負荷を軽減できる利点がある。しかし、集中監視制御を行う１台の上位ディスプレイでは、複数の下位ディスプレイ上に表示されている操作、例えばタッチパネル上のボタンを押す動作は行えず、監視者は前記複数の下位ディスプレイの間を移動して操作を行う必要があり、継続的に実施すると体力的な作業負荷が大きいという課題があった。
【０００６】
この問題を解決するために、集中監視制御を行う１台の上位ディスプレイが複数の下位ディスプレイの情報を取得してそれぞれの操作を行うようにシステムを構築する場合、それぞれのディスプレイに接続した計算機を相互にネットワークで接続した上で、カーソル位置情報や押下情報をはじめとした制御情報を送受信する必要がある。このためには、複数の計算機と接続の調停を行わなければならず、通信用のソフトウェアを開発しなければならないなどの課題があった。
【０００７】
この発明は前記のような課題を解決するためになされたもので、複数のディスプレイおよび複数の計算機を備えて構成される監視制御システムにおいて、集中監視制御を行う際に、計算機を介さず、ディスプレイ同士が通信することによって、監視者の体力的な作業負荷を軽減させると共に、導入コストおよび開発コストの低減ができる監視制御装置を得ることを目的とするものである。
【課題を解決するための手段】
【０００８】
この発明に係る監視制御装置は、複数のディスプレイおよび複数の計算機またはパーソナルコンピュータを備えて構成される監視制御システムにおける監視制御装置において、前記複数のディスプレイのそれぞれと前記複数の計算機またはパーソナルコンピュータのそれぞれとを画像入出力機能を持つケーブルで接続すると共に、前記それぞれのディスプレイは、接続される前記計算機またはパーソナルコンピュータの画面表示を行う画面表示部と通信制御を行う通信制御部とを有し、前記複数のディスプレイそれぞれの間で通信を行うものである。
【発明の効果】
【０００９】
この発明に係る監視制御装置によれば、監視者が複数の下位ディスプレイ上に表示されているそれぞれの内容を確認または操作したい場合でも、集中監視制御を行う１台の上位ディスプレイ上で内容を確認および操作することができるため、複数のディスプレイの間を移動して操作する必要がなくなり、監視者の体力的な作業負荷を軽減させることができる。また、ディスプレイ同士が通信を行うため、ディスプレイと画像入出力機能を持つケーブルで接続された計算機において、通信ソフトウェアを開発する必要が無く、開発コストの低減をはかることができる。
【図面の簡単な説明】
【００１０】
【図１】この発明の実施の形態１に係る監視制御装置の構成を示す図である。
【図２】この発明の実施の形態１に係る監視制御装置の動作を示すフローチャートである。
【図３】この発明の実施の形態２に係る監視制御装置の構成を示す図である。
【図４】この発明の実施の形態２に係る監視制御装置の動作を示すフローチャートである。
【図５】この発明の実施の形態３に係る監視制御装置の構成を示す図である。
【図６】この発明の実施の形態３に係る監視制御装置の配置例および動作を示すフローチャートである。
【図７】この発明の実施の形態４に係る監視制御装置の構成を示す図である。
【図８】この発明の実施の形態４に係る監視制御装置の動作を示すフローチャートである。
【図９】この発明の実施の形態５に係る監視制御装置の構成を示す図である。
【図１０】この発明の実施の形態５に係る監視制御装置の動作を示すフローチャートである。
【発明を実施するための形態】
【００１１】
以下、添付の図面を参照して、この発明に係る監視制御装置について好適な実施の形態を説明する。なお、この実施の形態によりこの発明が限定されるものではなく、諸種の設計的変更をも包摂するものである。
【００１２】
実施の形態１．
図１は、この発明の実施の形態１に係る監視制御装置の構成を示す図である。図１において、監視制御装置１０１は、複数の計算機１０２〜１０５と、それぞれの計算機１０２〜１０５に接続するディスプレイ１０６〜１１０を備えている。それぞれの計算機１０２〜１０５とディスプレイ１０６〜１１０の間は、画像入出力機能を持つケーブル１４０〜１４４で接続されている。更に、それぞれの計算機１０２〜１０５の間は、有線のケーブル１４５〜１４７でネットワーク接続されている。
【００１３】
計算機１０４は、一例として、ディスプレイ１０８と１０９の２台を有しているが、１台の計算機に対して、複数のディスプレイを接続することができる。また、それぞれのディスプレイ１０６〜１１０は、計算機１０２〜１０５の画面表示を行う画面表示部１２０〜１２４と、通信制御を行う通信制御部１３０〜１３４を備えている。ディスプレイ１０６と、ディスプレイ１０７、１０８、１０９、１１０の間にはそれぞれ、通信路１５１〜１５４が設けられ、有線または無線で接続することができるように構成されている。
【００１４】
実施の形態１に係る監視制御装置は、前記のように構成されており、次にその動作について図２に示すフローチャートを参照しながら説明する。
監視制御装置１０１は、計算機１０２〜１０５と、それに接続するディスプレイ１０６〜１１０の電源を投入すると、メモリ等の初期化を行い（ステップＳ２００）、計算機１０２〜１０５が生成する画面がそれぞれのディスプレイ１０６〜１１０に表示される（ステップＳ２０１）。
【００１５】
以下、ディスプレイ１０６とディスプレイ１０７の通信を例にして、その動作をフローチャートにより説明する。
ディスプレイ１０６は、通信対象のディスプレイ１０７〜１１０のいずれか一つを選択する（ステップＳ２０２）。ここでは一例としてディスプレイ１０７を選択する。
【００１６】
通信対象機器が決定されると、ディスプレイ１０６の持つ画面表示部１２０は、通信制御部１３０に、現在表示している情報等を送信する（ステップＳ２０３）。
【００１７】
通信制御部１３０は、ディスプレイ１０７の持つ通信制御部１３１と、一般的な有線または無線の通信路１５１を介して通信を行い、画面表示部１２０から取得した内容を送信する（ステップＳ２０４）。
【００１８】
ディスプレイ１０７の持つ画面表示部１２１は、通信制御部１３１から画面表示部１２０で表示していた情報等を取得する（ステップＳ２０５）。通信の手続きは複数回行われ、通信が終了していなければ、通信対象機器の選択に戻る（ステップＳ２０６）。
【００１９】
実施の形態１に係る監視制御装置は以上のように動作し、ディスプレイ１０６とディスプレイ１０７〜１１０同士が通信を行うため、ディスプレイ１０６〜１１０と画像入出力機能を持つケーブル１４０〜１４４で接続された計算機１０２〜１０５において、通信のための専用ソフトウェアを別途開発する必要が無くなり、開発コストの低減をはかることができる。例えば、計算機１０４では、複数のディスプレイの表示内容を扱わなければならないが、実施の形態１に係る監視制御装置１０１においては、ディスプレイ１０８と１０９間の調停や制御を考慮する必要がなくなり、システムの設計負荷を減らすことができる。
【００２０】
更に、監視者は、集中監視制御を行う１台の上位ディスプレイ１０６の位置に居るだけで、ディスプレイ１０７〜１１０の情報を得ることが可能となり、複数のディスプレイの間を移動して操作する必要がなくなり、作業負荷を低減させることができる。
【００２１】
また、実施の形態１に係る監視制御装置１０１は、計算機１０２と計算機１０３間の有線のネットワークケーブル１４５を接続しない場合でも、通信路１５１〜１５４が存在すれば実現させることができるものであり、この場合、計算機１０３〜１０５の持つ表示画像以外の重要な情報をディスプレイ１０６側から取得することができなくなるため、計算機１０２〜１０５をネットワーク接続するシステムと比較して、セキュリティの高いシステムを構築することができる。
【００２２】
実施の形態２．
次に、実施の形態２に係る監視制御装置について図３に基づいて説明する。図３において、監視制御装置３０１は、複数の計算機１０２〜１０５と、計算機１０２に接続するディスプレイ１０６、計算機１０３〜１０５に接続するディスプレイ３０２を備えている。計算機１０２とディスプレイ１０６の間は、画像入出力機能を持つケーブル１４０で接続され、計算機１０３〜１０５とディスプレイ３０２の間は、それぞれ画像入出力機能を持つケーブル１４１〜１４４で接続されている。
【００２３】
実施の形態１では、計算機１０３〜１０５は、それぞれ別のディスプレイ１０７〜１１０に接続していたが、実施の形態２では、計算機１０３〜１０５は、複数のディスプレイが１つの大きなディスプレイ３０２として合成され、動作させることができる装置となっており、ディスプレイ１０６の通信制御部１３０とディスプレイ３０２の通信制御部３３０が相互通信を行うことができるものである。なお、ディスプレイ１０６とディスプレイ３０２の間には通信路１５１があり、有線または無線で接続されている。
【００２４】
実施の形態２に係る監視制御装置は、前記のように構成されており、次にその動作について図４に示すフローチャートを参照しながら説明する。
監視制御装置３０１は、計算機１０２〜１０５と、それに接続するディスプレイ１０６と３０２の電源を投入すると、メモリ等の初期化を行い（ステップＳ４００）、計算機１０２〜１０５が生成する画面がそれぞれのディスプレイ１０６と３０２に表示される（ステップＳ４０１）。
【００２５】
ディスプレイ１０６では、自身の持つ画面表示部１２０が、通信制御部１３０に、現在表示している情報等を送信する（ステップＳ４０３）。
【００２６】
通信制御部１３０は、ディスプレイ３０２の持つ通信制御部３３０と有線または無線の通信路１５１を介して通信を行い、画面表示部１２０から取得した内容を送信する（ステップＳ４０４）。
【００２７】
ディスプレイ３０２の持つ画面表示部３２０は、通信制御部３３０から画面表示部１２０で表示していた情報等を取得する（ステップＳ４０５）。通信の手続きは複数回行われ、通信が終了していなければ、再度、情報の送信に戻る（ステップＳ４０６）。
【００２８】
実施の形態２に係る監視制御装置は以上のように動作し、通信路１５１における手続きが更に簡素化でき、通信路の構築や切替の作業負荷を低減させることができる。
【００２９】
実施の形態３．
次に、実施の形態３に係る監視制御装置について図５に基づいて説明する。図５においては、監視制御装置５０１が、複数の計算機１０２〜１０５と、それぞれの計算機１０２〜１０５に接続するディスプレイ１０６〜１１０を備えている。それぞれの計算機１０２〜１０５とディスプレイ１０６〜１１０の間は、画像入出力機能を持つケーブル１４０〜１４４で接続されている。また、それぞれのディスプレイ１０６〜１１０は、計算機１０２〜１０５の画面表示を行う画面表示部１２０〜１２４と、通信制御を行う通信制御部１３０〜１３４を備えている。計算機１０２〜１０５の間は、有線のケーブル１４５〜１４７でネットワーク接続されている。更に、それぞれのディスプレイ１０６〜１１０には、ディスプレイ本体同士が通信する手段として、例えば赤外線のような指向性の高い無線通信機能により情報を伝達する無線情報伝達手段５６０〜５６４が設けられている。なお、符号５５０は、一例として、ディスプレイ１０６の無線情報伝達手段５６０とディスプレイ１０７の無線情報伝達手段５６１間における通信中の無線経路を表すものである。
【００３０】
実施の形態１および実施の形態２では、前記のとおり、ディスプレイ本体同士が通信する手段として、有線または無線の通信路を確保するが、実施の形態３では、図５に示すように、指向性の高い無線情報伝達手段５６０〜５６４を設けて確実に１対１通信を行うようにしている。
【００３１】
監視制御システムのディスプレイ配置の特性としては、図６（ａ）のように放射状に機器が設置されるため、作業者と監視者の間に有線の配線を設置するには労力がかかる。また、無線機器を大量に設置すると混信等を引き起こし、通信が行えなくなる問題がある。このため、図５に示すように指向性の高い無線機器を用いることで、混信の起きにくい、利便性の高い監視制御装置を得ることができる。
【００３２】
実施の形態３に係る監視制御装置は、前記のように構成されており、次にその動作について図６（ｂ）に示すフローチャートを参照しながら説明する。
監視制御装置５０１は、計算機１０２〜１０５と、それに接続するディスプレイ１０６〜１１０の電源を投入すると、メモリ等の初期化を行い（ステップＳ６００）、計算機１０２〜１０５が生成する画面がそれぞれのディスプレイ１０６〜１１０に表示される（ステップＳ６０１）。
【００３３】
ディスプレイ１０６では、自身の持つ画面表示部１２０が、通信制御部１３０に、現在表示している情報等を送信する（ステップＳ６０３）。
【００３４】
通信制御部１３０は、ディスプレイ１０７の持つ通信制御部１３１と無線の通信路５５０を介して無線通信を行い、画面表示部１２０から取得した内容を送信する。この時、同時に設定できる通信路は１本だけである（ステップＳ６０４）。
【００３５】
ディスプレイ１０７の持つ画面表示部１２１は、通信制御部１３１から画面表示部１２０で表示していた情報等を取得する（ステップＳ６０５）。通信の手続きは複数回行われ、通信が終了していなければ、再度、情報の送信に戻る（ステップＳ６０６）。
【００３６】
実施の形態３に係る監視制御装置は以上のように動作し、混信の起きにくい利便性の高い監視制御が実施できる。
【００３７】
実施の形態４．
次に、実施の形態４に係る監視制御装置について図７に基づいて説明する。図７においては、監視制御装置７０１が、複数の計算機１０２〜１０５と、それぞれの計算機１０２〜１０５に接続するディスプレイ１０６〜１１０を備えている。それぞれの計算機１０２〜１０５とディスプレイ１０６〜１１０の間は、画像入出力機能を持つケーブル１４０〜１４４で接続されている。また、それぞれのディスプレイ１０６〜１１０は、計算機１０２〜１０５の画面表示を行う画面表示部１２０〜１２４と、通信制御を行う通信制御部１３０〜１３４、および制御情報７７０〜７７４を備えている。計算機１０２〜１０５の間は、有線のケーブル１４５〜１４７でネットワーク接続されている。
【００３８】
更に、それぞれのディスプレイ１０６〜１１０には、ディスプレイ本体同士が通信する手段として、例えば赤外線のような指向性の高い無線通信機能により情報を伝達する無線情報伝達手段５６０〜５６４が設けられている。なお、符号５５０は、一例として、ディスプレイ１０６の無線情報伝達手段５６０とディスプレイ１０７の無線情報伝達手段５６１間における通信中の無線経路を表すものである。ここで、制御情報とは、カーソル位置座標やタッチパネルディスプレイの押下情報をはじめとした、画面表示内容以外の情報である。
【００３９】
実施の形態４に係る監視制御装置は、前記のように構成されており、次にその動作について図８に示すフローチャートを参照しながら説明する。
監視制御装置７０１は、計算機１０２〜１０５と、それに接続するディスプレイ１０６〜１１０の電源を投入すると、メモリ等の初期化を行い（ステップＳ８００）、計算機１０２〜１０５が生成する画面がそれぞれのディスプレイ１０６〜１１０に表示される（ステップＳ８０１）。
【００４０】
ディスプレイ１０６では、無線通信機能により情報を伝達する無線情報伝達手段５６０の方向設定により、通信対象機器を選択する（ステップＳ８０２）。
【００４１】
ディスプレイ１０７を選択した場合、ディスプレイ１０６では、自身の持つ画面表示部１２０が、通信制御部１３０に現在表示している情報、および制御情報７７０を送信する（ステップＳ８０３）。
【００４２】
通信制御部１３０は、ディスプレイ１０７の持つ通信制御部１３１と、指向性のある無線通信路５５０を介して通信を行い、画面表示部１２０から取得した内容、および制御情報７７０を送信する（ステップＳ８０４）。
【００４３】
ディスプレイ１０７の持つ画面表示部１２１は、通信制御部１３１から画面表示部１２０で表示していた情報、および制御情報７７０を取得する（ステップＳ８０５）。通信が終了していなければ、通信対象機器の選択に戻る（ステップＳ８０６）。
【００４４】
実施の形態４に係る監視制御装置は以上のように動作し、前記動作の繰り返しによって、ディスプレイ１０６の表示情報のみならず、例えばディスプレイ１０６で押下した情報の送受信などが可能となり、これをディスプレイ１０７上で処理することができ、利便性を高めることができる。
【００４５】
実施の形態５．
次に、実施の形態５に係る監視制御装置について図９に基づいて説明する。図９における監視制御装置９０１は、実施の形態４における監視制御装置７０１のディスプレイ１０６にタッチパネル機能を設け、タッチパネルディスプレイ９８０を配したものである。また、ディスプレイ１０７〜１１０は、タッチパネル機能を持たないディスプレイである。なお、その他の構成については、実施の形態４と同様であり、同一符号を付してその説明を省略する。
【００４６】
実施の形態５に係る監視制御装置は、前記のように構成されており、次にその動作について１０に示すフローチャートを参照しながら説明する。
最初に計算機１０２〜１０５と、計算機１０２に接続するタッチパネルディスプレイ９８０および計算機１０３〜１０５に接続するディスプレイ１０７〜１１０の電源を投入すると、メモリ等の初期化を行い（ステップＳ１０００）、計算機１０２〜１０５が生成する画面がそれぞれディスプレイ１０７〜１１０およびタッチパネルディスプレイ９８０に表示される（ステップＳ１００１）。
【００４７】
例えば、下位ディスプレイ１０７は画面表示情報およびカーソル位置を含めた制御情報７７１を、タッチパネルディスプレイ９８０に送信し（ステップＳ１００２）、タッチパネルディスプレイ９８０では、この情報を反映した画面を表示し（ステップＳ１００３）、監視者のタッチ動作を待つ。
【００４８】
監視者がタッチパネルディスプレイ９８０にタッチし、カーソルを移動させると、移動後のカーソル情報を新規の制御情報７７０として、ディスプレイ１０７に送り返す（ステップＳ１００４）。
【００４９】
ディスプレイ１０７では、タッチパネルディスプレイ９８０上で行われた動作を、ディスプレイ内で反映し、タッチパネルのように振る舞う（ステップＳ１００５）。
【００５０】
実施の形態５に係る監視制御装置は以上のように動作し、下位ディスプレイ１０７〜１１０がタッチパネル機能を持たない場合であっても、上位にあるタッチパネルディスプレイ９８０の制御情報を元にして、タッチパネル動作の機能を加えた装置を実現することができ、設置コストの削減の効果がある。
【符号の説明】
【００５１】
１０１、３０１、５０１、７０１、９０１  監視制御装置
１０２〜１０５  計算機
１０６〜１１０、３０２  ディスプレイ
１４０〜１４７  ケーブル
１２０〜１２４、３２０  画面表示部
１３０〜１３４、３３０  通信制御部
１５１〜１５４  通信路
５５０  無線経路
５６０〜５６４  無線情報伝達手段
７７０〜７７４  制御情報
９８０  タッチパネルディスプレイ
【図１】
2011175424.tif 000003
【図２】
2011175424.tif 000004
【図３】
2011175424.tif 000005
【図４】
2011175424.tif 000006
【図５】
2011175424.tif 000007
【図６】
2011175424.tif 000008
【図７】
2011175424.tif 000009
【図８】
2011175424.tif 000010
【図９】
2011175424.tif 000011
【図１０】
2011175424.tif 000012